(57)【要約】【課題】照明機能を具えた無停電電源装置を提供する。【解決手段】主回路板で各々表面の電源入力側及び少なくとも一つの電源出力側に接続し、該主回路板が充電回路及び変流回路を具備し、該本体表面にスロット口を開設し、その内部に両電源接点を具えた本体と挿入、又は、抜き出すことができるよう寸法がスロット口に対応し、内部に少なくとも１個のバッテリーを具備し、スロット口内の両電源接点と接触した際、導通を形成するため、両接触接点に結合する配線を備え、該バッテリーが配線でスイッチ及び少なくとも１つの照明具に別の配線で結合するバッテリーカートリッジを含み、電源中断或いは電圧異常が発生した時にも交流電源を供給するため、該バッテリーカートリッジを介してスロット口に挿入することで主回路板と回路の接続を形成し、また、スロット口から抜き出した後、該スイッチへの制御を通じて、残留した直流電源を照明具に供給する。【選択図】    図１
0003134547.tif 000002
【実用新案登録請求の範囲】
【請求項１】
主回路板を具え、並びに、主回路で各々表面の電源入力側、及び、少なくとも一つの電源出力側に接続し、該主回路板が充電回路、及び、変流回路を具備し、該本体表面にスロット口を開設し、その内部に両電源接点を具えた本体と、
挿入、或いは、抜き出すことができるよう、寸法がスロット口に対応し、内部に少なくとも１個のバッテリーを具備し、スロット口内の両電源接点と接触した際、導通を形成するため、両接触接点に結合する配線を備え、該バッテリーが配線でスイッチ、及び、少なくとも１つの照明具に別の配線で結合するバッテリーカートリッジを含み、
電源中断、或いは、電圧異常が発生した時にも交流電源を供給するため、該バッテリーカートリッジを介してスロット口に挿入することで主回路板と回路の接続を形成し、また、スロット口から抜き出した後、該スイッチへの制御を通じて、残留した直流電源を照明具に供給することで点灯させることを特徴とする、照明機能を具えた無停電電源装置。
【請求項２】
請求項１記載の照明機能を具えた無停電電源装置において、該照明具は、LEDランプ、PLランプ或いは電球であることを特徴とする、照明機能を具えた無停電電源装置。
【請求項３】
請求項１記載の照明機能を具えた無停電電源装置において、該照明具は、バッテリーカートリッジの壁に固設する反射器内に取り付けることを特徴とする、照明機能を具えた無停電電源装置。
【請求項４】
請求項３記載の照明機能を具えた無停電電源装置において、該反射器の前面開口部に透明なレンズを設けることを特徴とする、照明機能を具えた無停電電源装置。
【請求項５】
請求項１記載の照明機能を具えた無停電電源装置において、該バッテリーカートリッジのスロット口に対向する外側にハンドルを設けることを特徴とする、照明機能を具えた無停電電源装置。
【考案の詳細な説明】
【技術分野】
【０００１】
本考案は、無停電電源装置で、特に照明機能を具えた無停電電源装置に関するものである。
【背景技術】
【０００２】
無停電電源装置(Uninterruptable Power Supply、UPSと略称)とは、文字どおり、停電時緊急に商用電源に取って代わり、電力を設備に供給できるもので、非常照明設備と同じである。ただし無停電電源装置の設計は更に精密であり、商用電源とバッテリー或いは変流器の変換時間を更に短縮させることで発電機或いはその他非常電源の中断時間が長すぎるという欠点を補うことができる。実際、無停電電源装置は、停電時にのみ作動するのではなく、例えば電圧サグ(Sags)、スパイク(Spikes)、電圧サージ(Surges)、ノイズ干渉(Noise)、高(低)電圧のトランシエント(Transients)により設備への正常運転に影響を与える電力品質の問題に遭遇した際、無停電電源装置が均しく自動的に電圧を安定させノイズを除去させることで、設備に安定してきれいな電源環境を供給できる。
【０００３】
無停電電源装置の機能及び価格は、他の非常電源供給設備よりも高いため、一般的に例えばコンピュータ設備、監視制御機器、消防設備、医療機器等といった重要な設備を保護するために用いることで、コンピュータ及び各種精密機器の電力品質に対する厳しい要求を満たしている。これにより現在無停電電源装置は、すでに各種ハイテク産業、コンピュータ業界から真に徹底的に電源問題を解決できる必要設備として認められている。
【０００４】
現在市販されている無停電電源装置の多くは筐体形で、主にバッテリー、回路板上の監視制御用ソフトウエアと継電器等の設備から構成されている。組立時、まず交流電源を無停電電源装置まで接続し、更に無停電電源装置から例えばコンピュータやディスプレイといった設備まで接続する。無停電電源装置が交流電源(AC)の中断或いは電圧異常が発生したことを検知した時、非常に短い時間内でバッテリー電源に切り替えることができ、バッテリー内の直流電源(DC)を交流電源に転換させ、予備バッテリーの電源を通じて、利用者が数十分間の余裕時間を得ることで、現在実行中のプログラムを完成させると共に正常な手順を踏んで安全にシャットダウンさせることができることで、データの消失、或いはシステムの破壊を避けることができる。
【０００５】
バッテリーには均しくその使用寿命があり、現在無停電電源装置のバッテリーを直接筐体内に固設し、前述の設備を正常な手順を踏んでシャットダウンした後、通常バッテリー内部にも適量の直流電源が残留しているが、無停電電源装置の大部分が商用電源の中断時に使用されることにより、該バッテリー内の残留電力を十分に利用できないため、無駄になっている恐れがある。
【０００６】
その他、特許文献１の特許案では、両筐体を突き合わせ接合することから成るバッテリーケースで、抜き挿し方式で該バッテリーケースと無停電電源装置の開口を分離或いは結合させることができるため、その内部スペースにバッテリーを水平対向に配置されると開示している。ただし当該特許案のバッテリーケースは、単純に抜き挿し機能を提供し、バッテリーケース内のバッテリーを交換或いは保守のみことであって他の付加機能が無いため、なおも欠点を残している。
【特許文献１】台湾特許公告番号第５４７７８０号の「無停電装置のリムーバブルバッテリーケース構造」
【考案の開示】
【考案が解決しようとする課題】
【０００７】
これに鑑み、本考案出願人は長年に渡るコンピュータ周辺機器設計に従事及び生産販売経験に基づき、その無停電電源装置のリムーバブルバッテリーカートリッジに例えば停電時の照明といった付加機能を与えることができ、再三に渡り実験とテストを繰り返すことで、本考案の「照明機能を具えた無停電電源装置」を開発するに到った。
【０００８】
本考案の主要な目的は、照明機能を具えた無停電電源装置を提供することにあり、これには主回路板を具え、並びに主回路で各々表面の電源入力側及び少なくとも一つの電源出力側に接続し、該主回路板が充電回路及び変流回路を具備し、該本体表面にスロット口を開設し、その内部に両電源接点を具えた本体と、挿入或いは抜き出すことができるよう、寸法がスロット口に対応し、内部に少なくとも１個のバッテリーを具備し、スロット口内の両電源接点と接触した際、導通を形成するため、両接触接点に結合する配線を備え、該バッテリーが配線でスイッチ及び少なくとも１つの照明具に別の配線で結合するバッテリーカートリッジを含み、電源中断或いは電圧異常が発生した時にも交流電源を供給するため、該バッテリーカートリッジを介してスロット口に挿入することで主回路板と回路の接続を形成し、またスロット口から抜き出した後、該スイッチへの制御を通じて、残留した直流電源を照明具に供給することで点灯させる。
【０００９】
本考案の別の目的は、照明機能を具えた無停電電源装置を提供することにあり、該照明具がLEDランプ、PLランプ或いは電球である。
【００１０】
さらに、本考案の別の目的は、照明機能を具えた無停電電源装置を提供することにあり、該照明具をバッテリーカートリッジ壁上に固設する反射器内に取り付け、更に、該反射器の前面開口部に透明なレンズを設ける。
【００１１】
さらに、本考案の別の目的は、照明機能を具えた無停電電源装置を提供することにあり、該バッテリーカートリッジのスロット口に対向する外側にハンドルを設ける。
【課題を解決するための手段】
【００１２】
上記の目的を達成するために、本考案は、主回路板を具え、並びに主回路で各々表面の電源入力側及び少なくとも一つの電源出力側に接続し、該主回路板が充電回路及び変流回路を具備し、該本体表面にスロット口を開設し、その内部に両電源接点を具えた本体と、挿入或いは抜き出すことができるよう、寸法がスロット口に対応し、内部に少なくとも１個のバッテリーを具備し、スロット口内の両電源接点と接触した際、導通を形成するため、両接触接点に結合する配線を備え、該バッテリーが配線でスイッチ及び少なくとも１つの照明具に別の配線で結合するバッテリーカートリッジを含み、電源中断或いは電圧異常が発生した時にも交流電源を供給するため、該バッテリーカートリッジを介してスロット口に挿入することで主回路板と回路の接続を形成し、またスロット口から抜き出した後、該スイッチへの制御を通じて、残留した直流電源を照明具に供給することで点灯させる。
【００１３】
本考案の具体的な技術内容について更に一歩進んだ理解をもらうため、実施例を介し付属の図面を組み合わせることで、本考案に対する詳細な説明を以下のとおり行うものである。
【００１４】
図１の示すことのように、基本的に、本考案である照明機能を具えた無停電電源装置は本体１及びバッテリーカートリッジ２の組み合わせからなる。
【００１５】
本体１は、従来の無停電電源装置構造で、つまり本体１内部に主回路板１１を設け、その主回路が各々の配線で本体１表面の電源入力側１２及び少なくとも一つの電源出力側１３に接続、固設されることで、商用電源の入力及び出力を各々提供し、且つ主回路板１１の充電回路を経由して、バッテリー２１に対して充電することは、従来の技術であるため、ここでは詳述しない。また該本体１の創作特徴は、後記のバッテリーカートリッジ２の抜き挿しのため、スロット口１４を開設し、且つ回路の接続を形成するため、該スロット口１４底部のような適切な位置に両電源接点１５を設ける。
【００１６】
バッテリーカートリッジ２はケース体で、寸法が前述のスロット口１４にちょうど対応し、バッテリーカートリッジ２がスロット口１４内に挿入並びに収容する際、その両接触接点２２が両電源接点１５と相互に接触することで、回路の導通を形成するため、その内部に少なくとも１個のバッテリー２１を設け、且つ両接触接点２２に接続する配線を具備する。これにより、電源入力側１２が商用電源と接続した後、該交流電源が主回路板１１の回路整流を通じて直流電源に変圧し、また両電源接点１５及び両接触接点２２への伝送を通じてバッテリー２１に貯蔵する。また電源中断或いは停電時、該バッテリーカートリッジ２内のバッテリー２１が直流電源を両接触接点２２及び両電源接点１５を通じて伝送し、並びに主回路板１１の変流回路の変流を介して交流電源となり、また配線を経由して電源出力側１３から出力する。この場合、例えばコンピュータのような電器設備利用者は正常な手順を踏んでシャットダウンすることで、データの消失、或いはシステムの破壊を避けることができる。
【００１７】
また該バッテリーカートリッジ２の創作特徴は、スイッチ２３及び少なくとも一つの例えばLEDランプ、PLランプ或いは電球といった照明具２４に結合する配線を具備し、設備をシャットダウンした後、利用者は、該バッテリーカートリッジ２をスロット口１４から抜き出すと共に該スイッチ２３を操作することで、照明具２４を点灯させることができ、これは停電期間において図３に示す照明器具としてリムーバブルバッテリーカートリッジ２を利用してバッテリーカートリッジ２の蓄電機能を十分に発揮することができ、同時に、該バッテリーカートリッジ２内のバッテリー２１が照明具２４の点灯過程を利用して放電することができるため、バッテリー２１の使用寿命を延長できる。
【００１８】
該照明具２４は、バッテリーカートリッジ２の壁に固設する反射器２５内に取り付けることができ、且つその開口側に透明なレンズ２６を設けることで、照明具２４を保護する。更に、該バッテリーカートリッジ２のスロット口１４に対向する外側部にハンドル２７を設け、スロット口１４との結合或いは分離として利便性がある以外に、照明器具とする時、該ハンドル２７で携帯できるという利便性を具える。
【００１９】
また商用電源の電力が復旧した時、本考案のバッテリーカートリッジ２が無停電電源装置本体１のスロット口１４内に挿入されていないとしても、電源入力側１２の商用電源がやはり回路板１１の主回路を通じて各電源出力側１３へ伝送され、例えばコンピュータ及びディスプレイのような設備にやはり必要な電源を得させることで、既存設備の稼動に影響を及ぼすことがない。ただしバッテリーカートリッジ２をスロット口１４に挿することでて２組の接点２２、１５を導通すると、主回路板１１の充電回路を通じて、内部のバッテリー２１に充電を行うことができる。
【００２０】
そのため、本考案の実施を通じ、無停電電源装置の本体及びバッテリーカートリッジを挿し抜き方式で設置することは、バッテリーの保守と交換においても非常に便利になるだけではなく、その他にも、該リムーバブルバッテリーカートリッジは、本体が設備の正常手順を踏んだシャットダウンに必要な電源を供給し後、本体と分離させることができ、またスイッチの切り替えを介して照明具を点灯し、照明用途に提供できることは、同類の製品に見られない優れた構造となっている。
【００２１】
本考案に開示したものは、好ましい実施例の一つであり、各種局部的な改変或いは修飾について本考案の技術的思想に基づき、当該技術を熟知する者が、容易に推察できるものも本考案実用新案権の権利範囲に属するものとする。
【００２２】
上記をまとめると本考案の目的、手段と効果が、従来の技術的特徴とは異なり、初めの創作で、実用性に適し、考案の実用新案登録要件を満たしているため、審査官皆様のご審査により、一日も早く特許をお許しいただきますよう切に願います。
【図面の簡単な説明】
【００２３】
【図１】本考案である無停電電源装置の立体分解図である。
【図２】本考案を組立後の断面図である。
【図３】本考案のバッテリーカートリッジを照明器具とする立体図である。
【符号の説明】
【００２４】
１  本体
１１  主回路板
１２  電源入力側
１３  電源出力側
１４  スロット口
１５  電源接点
２  バッテリーカートリッジ
２１  バッテリー
２２  接触接点
２３  スイッチ
２４  照明具
２５  反射器
２６  レンズ
２７  ハンドル
【図１】
0003134547.tif 000003
【図２】
0003134547.tif 000004
【図３】
0003134547.tif 000005